(57)【要約】【課題】組立、運搬を極めて簡単に行い得ると共に、保管のために多くのスペースを必要としない展示装置を提供すること。【解決手段】展示装置１は、主枠体２と、主枠体２を支持する支持枠体３とを具備しており、主枠体２は、側面に縦溝１１を有すると共に側面が互いに対面するように並置された一対の縦部材１２及び１３を具備しており、支持枠体３は、軸３１を介して互いに回動自在に連結されていると共に一対の縦部材１２及び１３の夫々に対応して設けられた一対の支持部材３２及び３３を具備しており、支持部材３２は縦部材１２の縦溝１１に配された軸４２を介して縦部材１２に回動自在であって縦溝１１に沿って移動自在となるように連結されており、支持部材３３は縦部材１２の下端部１９に軸４６を介して回動自在に連結されている。【選択図】      図１
2004163576.tif 000002
【特許請求の範囲】
【請求項１】
主枠体と、この主枠体を支持する支持枠体とを具備しており、主枠体は、側面に縦溝を有すると共に当該側面が互いに対面するように並置された一対の縦部材を具備しており、支持枠体は、軸を介して互いに回動自在に連結されていると共に一対の縦部材の夫々に対応して設けられた一対の支持部材を具備しており、一対の支持部材のうちの一方の支持部材は、縦部材の縦溝に配された軸を介して縦部材に回動自在であって縦溝に沿って移動自在となるように連結されており、一対の支持部材のうちの他方の支持部材は、縦部材の下端部に軸を介して回動自在に連結されている展示装置。
【請求項２】
縦部材の縦溝を有する側面には、一方の支持部材の軸が挿入される孔が設けられており、一方の支持部材には、軸を縦部材に対して弾性的に押圧する弾性部材が設けられており、一方の支持部材は、弾性部材による弾性的な押圧力に基づいて軸が孔に挿入されることにより縦部材に対する回動及び移動が禁止されると共に、軸が孔から抜出されることにより縦部材に対する回動及び移動の禁止が解除されるようになっている請求項１に記載の展示装置。
【請求項３】
一対の支持部材が伸張された際には、縦部材と一対の支持部材とは、実質的に互いに平行になるようになっている請求項１又は２に記載の展示装置。
【請求項４】
一対の縦部材間に配される広告板と、広告板の下端部を保持する保持部材とを具備しており、主枠体は、一対の縦部材の上端部を橋絡する上部枠部材と、一対の縦部材の中間部を橋絡する中間部材とを具備しており、支持枠体は、一方の支持部材の上端部を橋絡している連結部材を具備しており、上部枠部材は、広告板の上端部が嵌め込まれて当該上端部を保持するようになっており、保持部材は、中間部材及び連結部材に支持されるようになっていると共に広告板の下端部が嵌め込まれて当該下端部を保持するようになっている請求項１から３のいずれか一項に記載の展示装置。
【請求項５】
一対の縦部材間に配されている鉄製の広告板を具備している請求項１から４のいずれか一項に記載の展示装置。
【請求項６】
一対の縦部材間に配されていると共に棚を係止する複数の細棒が縦及び横方向に張られてなる網状板を具備している請求項１から３のいずれか一項に記載の展示装置。
【発明の詳細な説明】
【０００１】
【発明の属する技術分野】
本発明は、靴、化粧品等の物品（展示品）を広告、宣伝、販売等するために、展示品や展示品を広告するポスター等の広告媒体を展示する展示装置に関する。
【０００２】
【従来の技術】
展示品を展示する展示装置は、通常、展示品を保持する本体と、本体を下方で支持する支持台とを具備してなる。
【０００３】
【特許文献１】
特開２００２−２８２０９９号公報
【０００４】
【発明が解決しようとする課題】
この種の展示装置は、靴、化粧品等の物品の新製品の発表のために、異なる場所、例えば、ホテル、百貨店等に運ばれて用いられるために、その組立が容易であってしかも運搬、保管において嵩張らないことが通常要求されるが、従来提案されている展示装置は、斯かる要求を必ずしも満たすものではない。
【０００５】
本発明は、前記諸点に鑑みてなされたものであり、その目的とするところは、組立、運搬を極めて簡単に行い得ると共に、保管のために多くのスペースを必要としない展示装置を提供することにある。
【０００６】
【課題を解決するための手段】
本発明の第一の態様の展示装置は、主枠体と、この主枠体を支持する支持枠体とを具備しており、ここで、主枠体は、側面に縦溝を有すると共に当該側面が互いに対面するように並置された一対の縦部材を具備しており、支持枠体は、軸を介して互いに回動自在に連結されていると共に一対の縦部材の夫々に対応して設けられた一対の支持部材を具備しており、一対の支持部材のうちの一方の支持部材は、縦部材の縦溝に配された軸を介して縦部材に回動自在であって縦溝に沿って移動自在となるように連結されており、一対の支持部材のうちの他方の支持部材は、縦部材の下端部に軸を介して回動自在に連結されている。
【０００７】
第一の態様の展示装置によれば、主枠体が、側面に縦溝を有すると共に当該側面が互いに対面するように並置された一対の縦部材を具備しており、支持枠体が、軸を介して互いに回動自在に連結されていると共に一対の縦部材の夫々に対応して設けられた一対の支持部材を具備しており、一対の支持部材のうちの一方の支持部材は、縦部材の縦溝に配された軸を介して縦部材に回動自在であって縦溝に沿って移動自在となるように連結されており、一対の支持部材のうちの他方の支持部材は、縦部材の下端部に軸を介して回動自在に連結されているため、主枠体を支持する支持枠体を主枠体の一対の縦部材に沿って、換言すれば、主枠体の面外に張り出すことなしに仕舞い込むことができ、而して、運搬を極めて簡単に行い得ると共に保管のために多くのスペースを必要としなく、しかも、一対の支持部材同士並びに支持部材及び縦部材同士が軸を介して回動自在に連結されているために、組立を極めて簡単に行い得る。
【０００８】
本発明の第二の態様の展示装置では、本発明の第一の態様の展示装置において、縦部材の縦溝を有する側面には、一方の支持部材の軸が挿入される孔が設けられており、一方の支持部材には、軸を縦部材に対して弾性的に押圧する弾性部材が設けられており、一方の支持部材は、弾性部材による弾性的な押圧力に基づいて軸が孔に挿入されることにより縦部材に対する回動及び移動が禁止されると共に、軸が孔から抜出されることにより縦部材に対する回動及び移動の禁止が解除されるようになっている。
【０００９】
本発明の第二の態様の展示装置によれば、一対の支持部材の縦部材に対する回動及び移動を解除自在に禁止するようになっているために、展示装置の組立及び折り畳み状態をしっかりと保ち得る。
【００１０】
本発明の第三の態様の展示装置では、本発明の第一又は第二の態様の展示装置において、一対の支持部材が伸張された際には、縦部材と一対の支持部材とは、実質的に互いに平行になるようになっている。
【００１１】
本発明の第四の態様の展示装置では、本発明の第一から第三のいずれかの態様の展示装置において、一対の縦部材間に配される広告板と、広告板の下端部を保持する保持部材とを具備しており、主枠体は、一対の縦部材の上端部を橋絡する上部枠部材と、一対の縦部材の中間部を橋絡する中間部材とを具備しており、支持枠体は、一方の支持部材の上端部を橋絡している連結部材を具備しており、上部枠部材は、広告板の上端部が嵌め込まれて当該上端部を保持するようになっており、保持部材は、中間部材及び連結部材に支持されるようになっていると共に広告板の下端部が嵌め込まれて当該下端部を保持するようになっている。
【００１２】
本発明の第四の態様の展示装置によれば、広告板が、当該広告板を上部枠部材及び保持部材へ嵌め込むことにより当該上部枠部材及び保持部材に保持されるため、広告板の取り付け及び取り外しを簡単に行うことができ、而して、展示装置の組立及び運搬をより簡単に行い得る。
【００１３】
本発明の第五の態様の展示装置では、本発明の第一から第四のいずれかの態様の展示装置において、一対の縦部材間に配されている鉄製の広告板を具備している。
【００１４】
本発明の第六の態様の展示装置では、本発明の第一から第三のいずれかの態様の展示装置において、一対の縦部材間に配されていると共に棚を係止する複数の細棒が縦及び横方向に張られてなる網状板を具備している。
【００１５】
以下、本発明及びその実施の形態を、図に示す好ましい例に基づいて説明する。尚、本発明はこれらの例に何等限定されないのである。
【００１６】
【発明の実施の形態】
図１から図８において、本例の展示装置１は、主枠体２と、主枠体２を支持する支持枠体３と、主枠体２に設けられた鉄製の広告板４及び広告板４の下端部を保持する保持部材６と、支持枠体３に設けられた鉄製の広告板５とを具備している。
【００１７】
主枠体２は、側面に縦溝１１を夫々有すると共に当該側面が互いに対面するように、並置された一対の縦部材１２及び１３と、一対の縦部材１２及び１３の上端部１４を橋絡する矩形状であって好ましくは中空の上部枠部材１５と、一対の縦部材１２及び１３の中間部１６を橋絡する矩形状の中間部材１７とを具備している。
【００１８】
一対の縦部材１２及び１３の夫々は、矩形状であって好ましくは中空の縦部材本体２１と、縦部材本体２１に溶接等により固着されていると共に縦溝１１が形成された矩形状の隙間形成部材２２と、縦部材本体２１の縦溝１１を規定する側面に設けられていると共に、図７に示すように、後述の軸４２が挿抜される二つの孔２３とを具備している。上部枠部材１５及び中間部材１７は、斯かる縦部材本体２１の上端部１４及び中間部１６に溶接等により固着されている。
【００１９】
下方に位置する孔２３は、図１、図２及び図６に示すように支持枠体３が主枠体２を支持するように組立てられた際に、軸４２が挿入されるように配設されている。上方に位置する孔２３は、図８に示すように支持枠体３が仕舞い込まれた際に、軸４２が挿入されるように配設されている。
【００２０】
上部枠部材１５は、図５に示すように、その下端部に溝部２４を具備しており、溝部２４に広告板４の上端部が嵌め込まれることによって広告板４の上端部を保持するようになっている。
【００２１】
縦部材１２側と縦部材１３側とは、夫々互いに同様に構成されているので、以下、縦部材１２側について説明し、縦部材１３側については同符合をもって図示して説明を省略する。
【００２２】
支持枠体３は、軸３１を介して互いに一方の端部２５及び２６で回動自在に連結されていると共に縦部材１２に対応して設けられた一対の支持部材３２及び３３と、支持部材３３の他方の端部３４及び縦部材１３側の端部３４を橋絡する矩形棒状の連結部材３５と、支持部材３２の一方の端部２５側及び縦部材１３側の端部２５側を橋絡する矩形棒状の連結部材４７と、支持部材３２の他方の端部３６及び縦部材１３側の端部３６を橋絡する棒状の連結部材３７と、支持部材３２の中間部３８及び縦部材１３側の中間部３８を橋絡する矩形棒状の連結部材３９とを具備している。
【００２３】
矩形棒状の一方の支持部材３２は、図３及び図４に示すように、一端４４が縦部材１２の隙間形成部材２２の縦溝１１に配されていると共に、端部３６に縦部材１２の長手方向に直交するＡ及びＢ方向に移動自在に支持されている軸４２と、軸４２にＡ方向に向かう弾性的な押圧力を与える弾性部材としての板ばね４３とを具備しており、軸４２を介して縦部材１２の隙間形成部材２２に回動自在であって、縦溝１１に沿って移動自在となるように連結されている。
【００２４】
軸４２は、図６及び図８に示す状態において、板ばね４３からの弾性的な押圧力によりＡ方向に移動して各孔２３に挿入されるようになっている。
【００２５】
矩形棒状の他方の支持部材３３は、端部２６と端部３４との間で縦部材１２の縦部材本体２１の下端部１９に軸４６を介して回動自在に連結されており、縦部材１２の縦部材本体２１と支持部材３２との間には、支持部材３３の端部２６を配置できる隙間５０が形成されている。
【００２６】
連結部材３５、３７、３９及び４７は、夫々の両端部で支持部材３３の端部３４並びに支持部材３２の端部３６側、中間部３８及び端部２５側に溶接等により夫々固着されている。
【００２７】
連結部材３７は、中間部材１７と共に保持部材６を支持するようになっている。
【００２８】
以上の支持枠体３は、軸４２が孔２３に挿入されることにより一方の支持部材３２の縦部材１２に対する回動及び移動を禁止して、図６又は図８に示す状態を保つようになっていると共に、軸４２がＢ方向に引っ張られて孔２３から抜出されることにより一方の支持部材３２の縦部材１２に対する回動及び移動の禁止を解除して、組立及び折り畳み可能な状態にするようになっている。
【００２９】
広告板４は、その上端部を上部枠部材１５に嵌め込むと共に、その下端部を保持部材６に嵌め込むことにより一対の縦部材１２及び１３間に配される。一対の縦部材１２及び１３間に配された広告板４は、例えば、商品名等が印刷された磁性を有する可撓性の薄板（シート）がその磁力により取り付けられることによって広告表示する。
【００３０】
広告板５は、支持部材３２にねじ又はスナップフィット式の嵌合により固定されるようになっている。広告板５もまた、例えば、商品名等が印刷された磁性を有する可撓性の薄板（シート）がその磁力により取り付けられることによって広告表示する。
【００３１】
尚、広告板４及び５は、例えば、複数の孔を具備し、当該孔にフック等を介して係止された棚に、展示品が展示されるようになっていてもよい。
【００３２】
保持部材６は、特に図５に示すように、その下端部が連結部材３７に当接して当該連結部材３７に支持されると共に中間部材１７にスナップフィット式の嵌合により支持されるようになっている。保持部材６は、その上端部に溝部４５が構成されており、溝部４５に広告板４の下端部が嵌め込まれることにより当該下端部を保持するようになっている。
【００３３】
広告板４及び５並びに保持部材６は、運搬、保管に際しては取り外されるようになっている。
【００３４】
以上の展示装置１では、催し会場等で商品等の広告媒体を展示する場合には、図１に示すように、主枠体２が支持枠体３により支持されるように組立てられる。そして、広告板４及び５に、商品名等が印刷された薄板等が磁力等により取り付けられる。
【００３５】
展示後、展示装置１を運搬、保管する際には、まず広告板４及び５並びに保持部材６を取り外して、その後、図４に示すように軸４２をＢ方向に引っ張ることで当該軸４２を下方に位置する孔２３から抜出させて、軸４２を縦溝１１の上方に移動するように図６及び図７に示す状態を経て一対の支持部材３２及び３３を伸張させて、図８に示すように、縦部材１２と一対の支持部材３２及び３３とを実質的に互いに平行になるようにする。
【００３６】
図８に示すように折り畳まれると、支持枠体３が主枠体２の面外に張り出すことなしに展示装置１は一枚の板のようになり、したがって、斯かる状態では、運搬を極めて簡単に行い得ると共に、保管のために多くのスペースを必要としない。
【００３７】
即ち、展示装置１によれば、一対の縦部材１２及び１３が、夫々の縦溝１１を有する側面が互いに対面するように並置され、一対の支持部材３２及び３３が互いに回動自在に連結され、一方の支持部材３２が縦部材１２の縦溝１１に配された軸４２を介して縦部材１２に回動自在であって縦溝１１に沿って移動自在となるように連結され、他方の支持部材３３が縦部材１２の下端部１９に軸４６を介して回動自在に連結され、縦部材１２と一方の支持部材３２との間に他方の支持部材３３を配置できる隙間５０が形成されているために、主枠体２を支持する支持枠体３を主枠体２の一対の縦部材１２及び１３に沿って、換言すれば、主枠体２の面外に張り出すことなしに仕舞い込むことができ、而して、運搬を極めて簡単に行い得ると共に、保管のために多くのスペースを必要としなく、しかも、一対の支持部材３２及び３３同士並びに支持部材３２及び３３及び縦部材１２及び１３同士が軸３１並びに軸４２及び４６を介して夫々回動自在に連結されているために、組立を極めて簡単に行い得、更に、一対の支持部材３２及び３３の縦部材１２及び１３に対する回動を解除自在に禁止するために、支持枠体３を組立てた状態及び仕舞い込んだ状態をしっかりと保つことができる。
【００３８】
また展示装置１によれば、上部枠部材１５及び中間部材１７並びに連結部材３５、３７、３９及び４７により主枠体２及び支持枠体３の夫々が補強されているので、組立、運搬に支障が生じない。
【００３９】
尚、上記の展示装置１では、縦溝１１が形成された隙間形成部材２２を用いたが、これに代えて、隙間形成部材２２を省いて、縦部材本体２１に縦溝（スリット）１１を形成して、この縦溝（スリット）１１に軸４２の一端部を配して、支持部材３２の端部３６と縦部材本体２１との間に支持部材３３の厚みよりも少し大きな厚みをもったスペーサを介在させてもよい。また斯かるスペーサをも設けることなしに、端部２５又は２６のいずれか一方を二又状に形成し、他方の端部をこの二又状の端部の間に装着し、これら端部同士を軸３１により互いに回動自在に連結してもよい。
【００４０】
また、展示装置１は、一対の縦部材１２及び１３の夫々を、本例のように縦部材本体２１と隙間形成部材２２との別部材から構成する代わりに、縦部材本体２１に一体的に隙間形成部材２２と同等の膨大部を形成し、この膨大部に縦溝１１を形成して構成してもよい。
【００４１】
更に、本例の展示装置１は、広告板４に代えて、例えば、一対の縦部材１２の縦部材本体２１間に配されていると共に、棚を係止する複数の細棒が縦及び横方向に張られて構成されてなる網状板を具備し、当該網状板にフック等を介して係止された棚には、靴、化粧品等の物品（展示品）が載置されるようになっていてもよく、また、板ばね４３に代えて、軸４２にＡ方向に向かう弾性的な押圧力を与えるコイルばねを具備していてもよい。
【００４２】
【発明の効果】
本発明によれば、組立、運搬を極めて簡単に行い得ると共に、保管のために多くのスペースを必要としない展示装置を提供することができる。
【図面の簡単な説明】
【図１】本発明の実施の形態の好ましい例の斜視図である。
【図２】図１に示す例の斜視説明図である。
【図３】図１に示す例の一部拡大説明図である。
【図４】図１に示す例の一部拡大動作説明図である。
【図５】図１に示す例の側断面拡大説明図である。
【図６】図１に示す例の説明図である。
【図７】図１に示す例の動作説明図である。
【図８】図１に示す例の動作説明図である。
【符号の説明】
１  展示装置
２  主枠体
３  支持枠体
１１  縦溝
１２、１３  縦部材
３１、４２、４６  軸
３２、３３  支持部材
【図１】
2004163576.tif 000003
【図２】
2004163576.tif 000004
【図３】
2004163576.tif 000005
【図４】
2004163576.tif 000006
【図５】
2004163576.tif 000007
【図６】
2004163576.tif 000008
【図７】
2004163576.tif 000009
【図８】
2004163576.tif 000010